(57)【要約】      （修正有）【課題】歩行者や自転車に対しても視認できるように夜間に発光する車止め支柱であって、低コストでメンテナンスが不要な車止め支柱を提供する。【解決手段】金属製の柱体２の頂部に、蓄光材が配合された樹脂を有するキャップ３を取り付ける。キャップ３の頂面に、東西南北の方向を示す方向表示部７が設けられ、柱体２の側面に地図４１等が記載された情報表示部４が取り付けられる。【選択図】図１
0003172836.tif 000002
【実用新案登録請求の範囲】
【請求項１】
金属製の柱体の頂部に、蓄光材が配合された樹脂を有するキャップを取り付けたことを特徴とする車止め支柱。
【請求項２】
前記キャップの頂面に、東西南北の方向を示す方向標示部が設けられた請求項１に記載の車止め支柱。
【請求項３】
前記柱体の側面に、地図、広告又は模様が記載された情報表示部が取り付けられた請求項１又は２に記載の車止め支柱。
【請求項４】
前記キャップが、前記柱体に取り付けられる樹脂製のキャップ取付部と、蓄光材が配合された樹脂からなるキャップ蓄光部とを備え、これらキャップ取付部とキャップ蓄光部とがインサート成形によって一体化されている請求項１から３の何れか１項に記載の車止め支柱。
【考案の詳細な説明】
【技術分野】
【０００１】
本考案は、歩道の出入口等に設置され、歩道への車両の進入を防止する車止め支柱に係り、特に、夜間に発光することで視認性を高めた車止め支柱に関する。
【背景技術】
【０００２】
公園や街路等における歩道の出入口や、歩道と車道との境界等には、車両（自動車）が歩道に進入することを防止するために、車止め支柱が設置されることが多い。
【０００３】
この種の車止め支柱として、地面に設置される柱体の側部に反射テープを巻き付け、夜間に自動車のヘッドライトが柱体に照射された際にその光を反射テープで反射させ、夜間の視認性を高めるようにしたものが知られている（特許文献１参照）。しかし、このような反射テープタイプの車止め支柱は、自動車のヘッドライトが照射されて初めて視認性が高まるものなので、歩行者やライト照射距離が自動車と比べて遙かに短い自転車にとっては、夜間の視認性を高めることにはならない。従って、街灯が無い或いは街灯が暗い箇所に設置されると、歩行者や自転車が、車止め支柱の存在に気付かない或いは気付くのが遅れ、車止め支柱に衝突するという事態も生じ得る。
【０００４】
別の車止め支柱として、地面に設置される柱体の頂部に太陽電池を設け、太陽電池で発電された電力を貯蔵する蓄電池を柱体の内部に設け、蓄電池の電力によって発光するＬＥＤ（発光ダイオード）を柱体の側面に設け、ＬＥＤを夜間に点灯・点滅させることで、夜間の視認性を高めるようにしたものが知られている（特許文献２参照）。このようなＬＥＤタイプの車止め支柱によれば、夜間に自発的に発光するため、歩行者や自転車に対しても視認性を高めることができる。
【先行技術文献】
【特許文献】
【０００５】
【特許文献１】特開２００９−６２７１５号公報
【特許文献２】特開平６−２８０２２２号公報
【考案の概要】
【考案が解決しようとする課題】
【０００６】
しかし、上述したＬＥＤタイプの車止め支柱の場合、ＬＥＤの他、太陽電池及び蓄電池が必要となるため、コストアップが避けられない。また、自動車の接触や悪戯等によって、ＬＥＤ、太陽電池、蓄電池等の電子部品が破損したり、各電子部品を接続する電線が切断される可能性があるため、メンテナンスが必要となって煩雑である。
【０００７】
以上の事情を考慮して創案された本考案の目的は、歩行者や自転車に対しても視認できるように夜間に発光する車止め支柱であって、低コストでメンテナンスが不要な車止め支柱を提供することにある。
【課題を解決するための手段】
【０００８】
上記目的を達成するために創案された本考案は、金属製の柱体の頂部に、蓄光材が配合された樹脂を有するキャップを取り付けたことを特徴とする車止め支柱である。
【０００９】
また、本考案の車止め支柱は、上述したキャップの頂面に、東西南北の方向を示す方向標示部が設けられることが好ましい。
【００１０】
また、本考案の車止め支柱は、上述した柱体の側面に、地図、広告又は模様が記載された情報表示部が取り付けられることが好ましい。
【００１１】
また、本考案の車止め支柱は、上述したキャップが、柱体に取り付けられる樹脂製のキャップ取付部と、蓄光材が配合された樹脂からなるキャップ蓄光部とを備え、これらキャップ取付部とキャップ蓄光部とがインサート成形によって一体化されていることが好ましい。
【考案の効果】
【００１２】
本考案に係る車止め支柱によれば、柱体の頂部に、蓄光材が配合された樹脂製のキャップが取り付けられている。蓄光材は、昼間に太陽光や蛍光灯等の光エネルギーを吸収し、これを可視光として発光する。このため、夜間にキャップが光り、暗闇の中、歩行者や自転車に対しても、車止め支柱の存在を認識させることができる。
【００１３】
また、蓄光材によって夜間の発光を得ているので、ＬＥＤ、太陽電池、蓄電池等の電子部品及びそれらを接続する配線が不要となる。従って、ＬＥＤタイプの車止め支柱と比べると、低コストで製造でき、メンテナンスが不要となり、信頼性・耐久性に優れた車止め支柱を実現できる。
【図面の簡単な説明】
【００１４】
【図１】本考案の第１実施形態に係る車止め支柱の説明図である。
【図２】図１の車止め支柱のキャップを柱体に組み付ける様子を示す組付図である。
【図３】図３（ａ）は図２のキャップを頂面側から見た斜視図、図３（ｂ）は同キャップを底面側から見た斜視図であり、実線はキャップ取付部、仮想線（一点鎖線）はキャップ蓄光部を表す。
【図４】図４（ａ）は図１のＸ−Ｘ線断面図、図４（ｂ）は図４（ａ）のＹ−Ｙ線断面図、図４（ｃ）は図４（ｂ）のＺ−Ｚ線断面図である。
【図５】図５（ａ）は本考案の第２実施形態に係る車止め支柱の説明図、図５（ｂ）は第３実施形態に係る車止め支柱の説明図である。
【考案を実施するための形態】
【００１５】
以下に添付図面を参照しながら、本考案の好適な実施形態について詳細に説明する。なお、本明細書及び図面において、実質的に同一の機能、構成を有する要素については、同一の符号を付することにより重複説明を省略し、また本考案に直接関係のない要素は図示を省略する。
【００１６】
（第１実施形態：車止め支柱１）
図１に、本考案の第１実施形態に係る車止め支柱１を示す。本実施形態に係る車止め支柱１は、金属製の柱体２と、柱体２の頂部に取り付けられた樹脂製のキャップ３とを備えている。
【００１７】
（柱体２）
柱体２は、鉄やステンレス等の金属から円筒状に形成されており、柱体２の下部には、アンカーボルト２１が貫通して取り付けられている。柱体２は、地面Ｇに掘削された設置穴ＨにコンクリートＣを流し込んだ状態で上方から埋め込まれ、コンクリートＣが硬化した後、アンカーボルト２１によって回り止めされた状態となる。
【００１８】
柱体２の側面２２には、情報表示部４が装着されている。本実施形態では、情報表示部４は、柱体２が設置される付近の地図４１が描かれたシートから成り、そのシートが柱体２の側面２２に巻き付けられるようにして貼付されている。なお、シートに記載される情報表示部４の内容は、地図４１に限らず、柱体２が設置される付近の店舗等の広告や、柱体２が設置される住所や、歩行者等に美感を与える模様でもよい。模様は、四季に合わせて、春は花の模様、夏は海の模様、秋は紅葉の模様、冬は雪の模様等にチェンジすることも考えられる。
【００１９】
（キャップ３）
柱体２の頂部には、蓄光材が配合された樹脂を有するキャップ３が取り付けられている。キャップ３を図２〜図４を用いて説明する。図２はキャップ３の柱体２への組付図、図３（ａ）はキャップ３の頂面側の斜視図、図３（ｂ）はキャップ３の底面側の斜視図、図４（ａ）は図１のＸ−Ｘ線断面図、図４（ｂ）は図４（ａ）のＹ−Ｙ線断面図、図４（ｃ）は図４（ｂ）のＺ−Ｚ線断面図である。
【００２０】
各図に示すように、キャップ３は、柱体２の頂部に取り付けられる樹脂製のキャップ取付部３１と、蓄光材が配合された樹脂からなるキャップ蓄光部３２とから構成されており、これらキャップ取付部３１とキャップ蓄光部３２とがインサート成形によって一体化されている。キャップ蓄光部３２の樹脂には蓄光材が配合されているが、キャップ取付部３１の樹脂には蓄光材は配合されていない。
【００２１】
（キャップ取付部３１）
キャップ取付部３１は、柱体２の頂部の開口に挿入される挿入部分３３と、キャップ蓄光部３２によって覆われる本体部分３４とを備えており、材料に白色のＡＢＳ樹脂を用いた射出成形により、挿入部分３３と本体部分３４とが一体成形されている。色を白色とするのは、本体部分３４を覆って装着されるキャップ蓄光部３２の蓄光材の発色を高めるためである。なお、キャップ取付部３１の材質は、ＡＢＳ樹脂の他、ポリエチレン樹脂、ポリプロピレン樹脂、ポリスチレン樹脂、塩化ビニル樹脂、ナイロン樹脂、ポリカーボネート樹脂、ポリエステル樹脂等の熱可塑性樹脂が用いられる。
【００２２】
キャップ取付部３１の挿入部分３３は、外径が柱体２の頂部の開口の内径に合わせて円筒状に形成された下部円筒３３ａと、下部円筒３３ａの内部を４つに仕切るように中心から９０度間隔で放射状に形成された４枚の補強壁３３ｂとを有する。補強壁３３ｂは、上部が本体部分３４に繋がっており、下部円筒３３ａを補強する機能を有する。なお、補強壁３３ｂは、２枚、３枚或いは５枚以上でも構わず、等間隔でなくてもよい。
【００２３】
下部円筒３３ａの側面には、各補強壁３３ｂの位置にあわせて、ネジ穴３３ｃが９０度間隔で４個形成されている。ネジ穴３３ｃは、補強壁３３ｂの内部に下部円筒３３ａの径方向に沿って形成されている。補強壁３３ｂは、下部円筒３３ａを補強する機能の他、ネジ穴３３ｃの深さを下部円筒３３ａの板厚以上に稼ぐことで、ネジ５の締結剛性を高める機能も発揮する。なお、ネジ穴３３ｃが形成されない補強壁３３ｂがあっても構わない。
【００２４】
ネジ穴３３ｃには、柱体２の側面２２に貫通形成された穴２３を挿通したネジ（皿ネジ、皿子ネジ）５が、ネジ込まれる。柱体２の側面２２に貫通形成された穴２３には、皿ネジ５の頭部の円錐形状に合わせて円錐状に窪まされた収容部２４（図２参照）が形成されており、ネジ穴３３ｃにネジ込まれた皿ネジ５の頭部が、柱体２の側面２２から突出しないようになっている（図４参照）。
【００２５】
皿ネジ５がネジ込まれた後、柱体２の側面２２には、穴２３を覆うようにして、反射テープ６（図１参照）が貼付される。反射テープ６は、夜間に自動車のヘッドライトが照射された際にその光を反射することで、柱体２の存在を自動車の運転者に認識させる機能の他、ネジ５の頭部を覆って隠すことで、ネジ５を緩める或いはネジ５を外すという悪戯を防止する機能も発揮する。
【００２６】
図２〜図４に示すように、キャップ取付部３１の本体部分３４は、挿入部分３３を構成する下部円筒３３ａの外径よりも一回り大径の円筒状に形成された上部円筒３４ａと、上部円筒３４ａの頂部の開口を覆うように形成された蓋３４ｂとを有する。本体部分３４の上部円筒３４ａと挿入部分３３の下部円筒３３ａとを繋ぐ側面には、段差３４ｃが周方向に沿って形成されている。
【００２７】
（キャップ蓄光部３２）
キャップ蓄光部３２は、キャップ取付部３１に、インサート成形によって一体的に設けられる。図３において、実線がキャップ取付部３１、仮想線（一点鎖線）がキャップ蓄光部３２を表す。キャップ蓄光部３２は、図４に示すように、段差３４ｃの下面と上部円筒３４ａの側面と蓋３４ｂの上面とを２〜３ｍｍ程度の厚さで覆うようにして、インサート成形される。このキャップ蓄光部３２は、段差３４ｃの下面に回り込むようにして周方向に沿って成形された抜け止め部分３２ａを有し、悪戯等によって上方に引っ張られた際、抜け止め部分３２ａが段差３４ｃに引っ掛かることで、キャップ取付部３１から離脱され難くなっている。
【００２８】
図３に示すように、キャップ取付部３１の上部円筒３４ａの側面には、軸方向（上下方向）に凸状に形成された回り止め３４ｄが、周方向に間隔を隔てて複数設けられている。上部円筒３４ａの側面を覆ってインサート成形されるキャップ蓄光部３２は、回り止め３４ｄの凸凹に噛み合うように成形されてキャップ取付部３１と一体化されるため、悪戯等によって回される力が加えられた際、キャップ取付部３１に対して回ってしまうことが防止される。
【００２９】
キャップ取付部３１は、蓄光材が配合されていない樹脂から成っているのに対し、キャップ蓄光部３２は、蓄光材が配合された樹脂から成っている。蓄光材は、太陽や蛍光灯の光を受けてその中の紫外光のエネルギーを吸収して、これを可視光として発光するものである。蓄光材は、例えば、高温焼成されたセラミック系物質、アルミナ系酸化物等から成り、これらを粉末状としたものが用いられる。
【００３０】
粉末状の蓄光材は、上述した熱可塑性樹脂（例えばポリプロピレン樹脂（ＰＰ）、アクリル系樹脂等）に混入されて加熱混練される。そして、蓄光材が混入されて可塑状態となった樹脂が、予め成形しておいたインサート品としてのキャップ取付部３１がセットされた金型内に注入される。これにより、蓄光材が配合されたキャップ蓄光部３２が、キャップ取付部３１の本体部３４を包み込むように成形される（インサート成形）。
【００３１】
図１に示すように、キャップ３のキャップ蓄光部３２の頂面には、東西南北の方向を示す方向表示部７が設けられている。方向表示部７は、「東」「西」「南」「北」の表示と、方向を表す矢印とを有する。なお、漢字表示ではなく「Ｅ」「Ｗ」「Ｓ」「Ｎ」の英語頭文字表示でもよい。方向表示部７は、夫々の文字や矢印の形に切り抜かれたシールがキャップ蓄光部３２の頂面に貼付され、その上に剥がれ防止のためのクリア塗装が施されることで、キャップ蓄光部３２の頂面に固定される。
【００３２】
このような方向表示部７を有するキャップ２が取り付けられた柱体２は、地面Ｇに設置される際、キャップ３の方向表示部７の東西南北の方向が、実際に設置される現地の東西南北の方向に合致するように設置される。また、柱体２の側面２２に装着される情報表示部４の地図４１が描かれたシートは、方向表示部７の方向に合わせて、即ち、地図上の道路の延びる方向が方向表示部７の東西南北の方向に合致するようにして、柱体２の側面２２に貼付されることが好ましい。
【００３３】
（作用・効果）
本実施形態に係る車止め支柱１によれば、柱体２の頂部に、蓄光材が配合された樹脂製のキャップ３が取り付けられている。蓄光材は、昼間に太陽光や蛍光灯等の光エネルギーを吸収し、これを可視光として発光する。このため、夜間にキャップが光り、暗闇の中、歩行者や自転車に対しても、車止め支柱１の存在を認識させることができる。よって、歩行者や自転車が、暗闇の中、歩道の出入口等に設置された車止め支柱１の存在に気付かずに、車止め支柱１に衝突する事態を回避できる。
【００３４】
蓄光材によって夜間の発光を得ているので、ＬＥＤ、太陽電池、蓄電池等の電子部品及びそれらを接続する配線が不要となる。従って、ＬＥＤタイプの車止め支柱と比べると、低コストで製造できる。加えて、自動車の接触や悪戯等による各電子部品の故障やそれらの接続配線の断線を考慮しなくてもよいため、メンテナンスが不要となり、信頼性・耐久性に優れた車止め支柱１を実現できる。また、キャップ３を柱体２に固定するネジ５は、その頭部が反射テープ６に覆われて隠されているので、悪戯によってネジ５が緩められる或いは外される事態を防止できる。ネジ５の頭部を隠す反射テープ６は、自動車のヘッドライトが照射された際にその光を反射し、ドライバーに車止め支柱１の存在を強く認識させることができる。
【００３５】
キャップ３は、図４に示すように、蓄光材が配合されていないキャップ取付部３１と、蓄光材が配合されたキャップ蓄光部３２とから成る。キャップ蓄光部３２は、柱体２の頂部開口から突出するキャップ取付部３１の頂部に、その頂部を２〜３ｍｍ程度の厚さで覆うようにして、インサート成形により設けられている。これにより、キャップ取付部３１とキャップ蓄光部３２との双方に蓄光材を配合した場合と比べると、高価な蓄光材の使用量を減らしつつ、発光面積を稼ぐことができる。よって、蓄光材による発光量を確保しつつ、低コスト化を推進できる。また、キャップ蓄光部３２の内方のキャップ取付部３１は、白色の樹脂（ＡＢＳ樹脂等）なので、蓄光材の発色を高める機能を発揮する。
【００３６】
車止め支柱１は、歩道の出入口等に設置される。従って、歩行者や自転車に乗っている人に対して、キャップ３の頂部に設けられた方向表示部７が、手短な方向表示機能を発揮し、柱体２の側面２２に装着された情報表示部４の地図４１が、周辺の道路・地理情報を提供する。ここで、情報表示部４の地図４１上の道路の延びる方向が、方向表示部７の東西南北の方向に合致するようになっていることで、現実の道路の方向を地図４１上の道路の方向に置き換えて把握することが容易となり、使い勝手のよい地図となる。また、方向表示部７はキャップ蓄光部３２の頂面に設けられるところ、キャップ蓄光部３２が図３に示す回り止め３４ｄによって、柱体２にネジ５で固定されたキャップ取付部３１に対して回り止めされるため、キャップ蓄光部３２が悪戯によって回されることによる方向表示部７の向きのずれを防止できる。
【００３７】
（第２実施形態、第３実施形態）
図５（ａ）に本考案の第２実施形態に係る車止め支柱１ａの概要を、図５（ｂ）に第３実施形態に係る車止め支柱１ｂの概要を示す。第２及び第３実施形態は、上述した第１実施形態と基本的な構成要素は同一であり、柱体２ａ、２ｂを金属製の長方形の平板２５を上方から見て十字状となるように直角に組み付けて溶接して構成した点が、第１実施形態と相違する。よって、第１実施形態と同一の構成要素には同一の符号を付して説明を省略する。なお、第３実施形態では、平板２５を十字状に溶接したものを透明な円筒２６に収容して柱体２ｂとしており、歩行者や自転車が柱体２ｂに接触した際の怪我防止を図っている。
【００３８】
第２及び第３実施形態に係る車止め支柱１ａ、１ｂによれば、柱体２ａ、２ｂが長方形の平板２５を十字状に溶接した構造となっているので、地図、広告又は模様等が記載された情報表示部４（図１参照）が取り付けられる柱体２ａ、２ｂの側面２２ａ、２２ｂの面積が、柱体２が円筒となっている第１実施形態よりも大きくなる。よって、側面２２ａ、２２ｂに装着される情報表示部４の情報量を、第１実施形態よりも多くすることができる。
【００３９】
また、情報表示部４として地図４１を記載する場合、図５に示すように、キャップ３に設けられた方向表示部７の４方向（東西南北）を、柱体２ａ、２ｂを構成する各平板２５の放射方向に沿った４方向から４５度回転した状態としてもよい。こうすれば、例えば、方向表示部７の「南」の下方に位置する２枚の平板２５の表面に、柱体２ａの上下方向に沿って実際の現地の北南方向が表された地図４１（図１参照）を貼付することで、現実の道路の方向を地図４１上の道路の方向に置き換えて把握することが容易となる。
【００４０】
同様に、方向表示部７の「東」の下方に位置する２枚の平板２５の表面には、上下方向に沿って実際の西東方向が表された地図が貼付され、「北」の下方に位置する２枚の平板２５の表面には、南北方向の地図を貼付され、「西」の下方に位置する２枚の平板２５の表面には、東西方向の地図が貼付されることが好ましい。
【００４１】
以上、添付図面を参照しつつ本考案の好適な実施形態について説明したが、本考案は上述した各実施形態に限定されないことは勿論であり、実用新案登録請求の範囲に記載された範疇における各種の変更例又は修正例についても、本考案の技術的範囲に属することは言うまでもない。例えば、キャップ３に設けられる方向表示部７、柱体２の側面２２に設けられる情報表示部７は、何れか一方又は双方を省略しても構わない。
【産業上の利用可能性】
【００４２】
本考案は、夜間に発光することで視認性を高めた車止め支柱に利用できる。
【符号の説明】
【００４３】
１  車止め支柱
２  柱体
３  キャップ
３１  キャップ取付部
３２  キャップ蓄光部
４  情報表示部
４１  地図
７  方向表示部
【図１】
0003172836.tif 000003
【図２】
0003172836.tif 000004
【図３】
0003172836.tif 000005
【図４】
0003172836.tif 000006
【図５】
0003172836.tif 000007